(57)【要約】【課題】電気式床暖房パネルＡにおいて、配線溝５３に配線したときに、コード状ヒータ５４のＵターン状の曲がり部５４ａに、浮き上がりや戻りが生じるのを防止する。【解決手段】長尺状の木質基材５０Ａの裏面に配線溝５３が形成され、そこにコード状ヒータ５４が配線されている電気式床暖房パネルＡにおいて、配線溝５３のＵターン部５３ｂにおける外側壁面５８の平面視での形状を、コード状ヒータ５４を配線溝５３の隣接する２本の直線部５３ａ、５３ａに連続して配線しようとするときに生じるコード状ヒータ５４のＵターン状の曲がり部５４ａの形状に一致あるいはほぼ一致する形状とする。そして、外側壁面５８に沿うようにしてコード状ヒータ５４を配線する。【選択図】図５
2010127529.tif 000002
【特許請求の範囲】
【請求項１】
長辺側は直線状であり短辺側は直線状または雁木状とされた長尺状の木質基材の裏面にコード状ヒータを収容するための配線溝が形成されている電気式床暖房パネル用の木質基材であって、前記配線溝は、長辺方向に沿う直線部とそこに続く木質基材の長辺方向の端部近傍におけるＵターン部とを少なくとも有しており、前記Ｕターン部の少なくとも外側壁面はコード状ヒータを隣接する前記直線部に連続して配線しようとするときに自然に形成されるコード状ヒータのＵターン状の曲がり部の形状に一致あるいはほぼ一致する形状とされており、前記コード状ヒータは前記Ｕターン部の外側壁面に接するようにして配線されることを特徴とする電気式床暖房パネル用の木質基材。
【請求項２】
前記Ｕターン部の少なくとも外側壁面は半円加工面であることを特徴とする請求項１に記載の電気式床暖房パネル用の木質基材。
【請求項３】
前記Ｕターン部は前記直線部よりも溝幅が広くされていることを特徴とする請求項１または２に記載の電気式床暖房パネル用の木質基材。
【請求項４】
請求項１ないし３のいずれか一項に記載の電気式床暖房パネル用の木質基材とその配線溝に配線されたコード状ヒータとを少なくとも備える電気式床暖房パネルであって、前記コード状ヒータは前記Ｕターン部の外側壁面に沿うようにして配線されていることを特徴とする電気式床暖房パネル。
【発明の詳細な説明】
【技術分野】
【０００１】
本発明は、コード状ヒータを備える電気式床暖房パネルとその電気式床暖房パネルを構成する木質基材に関する。
【背景技術】
【０００２】
木質基材の裏面にコード状ヒータを配線した電気式床暖房パネルは知られている（特許文献１等参照）。電気式床暖房パネルの製造に際し、木質基材の裏面にコード状ヒータを配線するための配線溝が形成され、該配線溝の中にコード状ヒータが埋め込まれる。埋め込み作業を容易化するために、実際の電気式床暖房パネルで使用される木質基材では、配線溝の横幅は埋め込もうとするコード状ヒータの直径と同じとされ、上から溝内にコード状ヒータを押し込むだけで、摩擦力によりコード状ヒータが溝内に固定されるようにされている。
【０００３】
上記の形態の電気式床暖房パネルにおいて、床暖房構造として施工した後に電気式床暖パネルの上面から荷重がかかったときに、僅かではあるが木質基材の長辺方向に下に凸の反りが生じる。遮音機能を向上させる目的で木質基材に短辺に平行な多数の遮音溝が形成されている場合、あるいは歩行感を向上させる等の目的で木質基材の裏面に緩衝材を貼り付けた場合にはこの反り量は大きくなる。
【０００４】
配線溝内に配線されたコード状ヒータもこの木質基材の挙動に追従して長辺方向に下向きに湾曲する。従来、コード状ヒータはＵターン部も含めて配線溝内にぴったりと納まるように配線されているために、配線溝の直線部に配線されているコード状ヒータが長辺方向に下向に湾曲すると、Ｕターン部では、その内側壁面が抵抗点となってコード状ヒータに引っ張り方向の応力が発生する。
【０００５】
木質基材の反りに起因してコード状ヒータに引っ張り応力が生じるのを回避できるようにした木質基材および電気式床暖房パネルが特許文献１に記載されており、そこでは、図６（ａ）に示すように、木質基材５０Ａの裏面に形成する配線溝５３のＵターン部５３ｂの溝幅Ｗｂを直線部５３ａの溝幅Ｗａよりも広くすると共に、Ｕターン部５３ｂの内側壁面５７は円弧状に、Ｕターン部５３ｂの外側壁面５８は曲線部Ｒ１と直線部Ｌと曲線部Ｒ２とで形成される形状としている。そして、直径ｄであるコード状ヒータ５４は、前記Ｕターン部ではその外側壁面５８に沿うようにして配線されるようになっている。
【０００６】
この形態の電気式床暖房パネルでは、図６（ａ）に示すように、Ｕターン部５３ｂの内側壁面５７とコード状ヒータ５４との間には所要の広さの隙間Ｓが存在する。そのために、木質基材の反りに起因してコード状ヒータ５４に変形が生じる場合でも、図６（ｂ）に示すように、その変形は前記隙間Ｓによって吸収され、Ｕターン部５３ｂにおいてコード状ヒータ５４に引っ張り方向の応力が作用するのを回避できる利点がある。
【０００７】
【特許文献１】特開２００８−５７２８０号公報
【発明の開示】
【発明が解決しようとする課題】
【０００８】
本発明者らは、上記した形態の配線溝５３を裏面に持つ木質基材５０Ａにコード状ヒータ５４を配線して電気式床暖房パネルとする作業を行ってきているが、その過程において、コード状ヒータ５４をＵターン部５３ｂの外側壁面５８に沿うようにして配線したときに、コード状ヒータの浮き上がりや戻りが生じる場合があることを知見した。浮き上がりや戻りが生じるとそれを修正する作業が必要となり、配線作業が繁雑となる場合があった。
【０００９】
本発明は、上記の事情に鑑みてなされたものであり、配線溝にコード状ヒータを配線したときに、コード状ヒータの浮き上がりや戻りが生じるのを防止することのできる電気式床暖房パネル用の木質基材を提供することを第１の課題とする。また、その木質基材にコード状ヒータを配線した電気式床暖房パネルを提供することを第２の課題とする。
【課題を解決するための手段】
【００１０】
上記課題を解決すべく本発明者らは多くの実験を行うことにより、図６に示すように、前記した所要の広さの隙間Ｓが存在するＵターン部５３ｂにおける外側壁面５８の形状が、曲線部Ｒ１と直線部Ｌと曲線部Ｒ２とで形成される形状の場合、外側壁面５８に沿うようにしてコード状ヒータ５４を配線すると、そこに形成されるコード状ヒータ５４の曲がり形状は、直線状のコード状ヒータ５４を自然の状態で１８０度に折曲したときに形成される曲がり部の形状と異なっており、そのためにコード状ヒータ５４の曲がり部に大きな弾力（内部応力）が形成され、それを開放しようとして前記したコード状ヒータの浮き上がりや戻りが生じることを知った。
【００１１】
本発明は上記の知見に基づくものであり、本発明による木質基材は、長辺側は直線状であり短辺側は直線状または雁木状とされた長尺状の木質基材の裏面にコード状ヒータを収容するための配線溝が形成されている電気式床暖房パネル用の木質基材であって、前記配線溝は、長辺方向に沿う直線部とそこに続く木質基材の長辺方向の端部近傍におけるＵターン部とを少なくとも有しており、前記Ｕターン部の少なくとも外側壁面はコード状ヒータを隣接する前記直線部に連続して配線しようとするときに自然に形成されるコード状ヒータのＵターン状の曲がり部の形状に一致あるいはほぼ一致する形状とされており、前記コード状ヒータは前記Ｕターン部の外側壁面に接するようにして配線されることを特徴とする。
【００１２】
本発明による木質基材では、配線溝のＵターン部における外側壁面の形状は、コード状ヒータを隣接する前記直線部に連続して配線しようとするときに自然に形成されるコード状ヒータのＵターン状の曲がり部の形状に一致あるいはほぼ一致する形状とされているので、Ｕターン部の外側壁面に沿うようにしてコード状ヒータを配線しても、その曲がり部に大きな内部応力が形成されることはない。そのために、配線後に浮き上がりや戻りが生じるのを確実に回避することができる。
【００１３】
木質床材の裏面に形成される複数本の長辺方向に沿う直線部での隣接する直線部間の距離、あるいは使用するコード状ヒータの物性に応じて、隣接する直線部に連続して配線しようとするときに自然に形成されるコード状ヒータのＵターン状の曲がり部の形状が異なる場合がある。その場合に、それぞれの曲がり部の形状に一致あるいはほぼ一致した外側壁面を持つＵターン部を形成した多くの種類の木質基材を製造することは、コスト的に負担となる場合がある。
【００１４】
そのために、本発明による木質基材の一態様では、前記Ｕターン部の少なくとも外側壁面は半円加工面とされる。多くの場合、弾性を有する直線状部材を１８０度折曲したときに形成される曲がり部の形状はほぼ半円状であることを考慮すると、この態様であっても、充分に所期の目的を達成することができる。また、この態様では、木質基材にＮＣ加工機を用いて配線溝のＵターン部を形成するときに、半円加工面以外の加工面（例えば、図６に示したようなＵターン部５３ｂにおける外側壁面５８の形状が、曲線部Ｒ１と直線部Ｌと曲線部Ｒ２とで形成される形状である加工面等）を加工する場合と比較して、その加工プログラム容量を削減することが可能となる。
【００１５】
本発明による木質基材の一態様では、前記Ｕターン部は前記直線部よりも溝幅が広くされている。この態様では、電気式床暖房パネルとしたときに、前記特許文献１に記載した電気式床暖房パネルのように、木質基材の反りに起因してコード状ヒータに引っ張り応力が生じるのを効果的に回避することができる。
【００１６】
本発明は、上記した電気式床暖房パネル用の木質基材とその配線溝に配線されたコード状ヒータとを少なくとも備える電気式床暖房パネルであって、前記コード状ヒータは前記Ｕターン部の外側壁面に沿うようにして配線されていることを特徴とする電気式床暖房パネルをも開示する。
【００１７】
上記した理由により、この電気式床暖房パネルを製造するときに、コード状ヒータの浮き上がりや戻りが生じるのを抑制できるので、製造を容易かつ迅速化することができる。また、木質基材として、配線溝のＵターン部が直線部よりも溝幅が広くされている木質基材を用いる態様では、木質基材の反りに起因してコード状ヒータに引っ張り応力が生じるのを効果的に回避することができる。
【００１８】
なお、本発明において、コード状ヒータには、特開２００８−１５７６０３号公報に記載されるような抵抗器付き温度ヒューズと検知線を備えたヒータ、あるいは特開平１０−３３５０４６号公報に記載されるような検知線（信号線）を備えた３線式のヒータと抵抗器付き温度ヒューズとを組み合わせたヒータ等も用いることができる。抵抗器付き温度ヒューズを備えた３線式ヒータの使用態様の一例は、本出願と同じ出願人にかかる特願２００８−０５４７８４号に記載されている。
【発明の効果】
【００１９】
本発明によれば、木質基材の裏面に形成した配線溝にコード状ヒータを配線するときに、配線溝のＵターン部でコード状ヒータの浮き上がりや戻りが生じるのを防止できることから、電気式床暖房パネルを製造するときの、配線溝内にコード状ヒータを配線する作業を容易かつ迅速化することができる。
【発明を実施するための最良の形態】
【００２０】
以下、図面を参照しながら、本発明を実施の形態に基づき説明する。図１は本発明による電気式床暖房パネルの一例を示す平面図、図２は図１のＩ−Ｉ線による断面図、図３は図１のＩＩ−ＩＩ線による断面図である。図４は図１に示す電気式床暖房パネルの底面図であり、緩衝材層は外してある。図５は電気式床暖房パネルにおける配線溝のＵターン部とコード状ヒータとの関係を説明するための図である。
【００２１】
図示される本発明による電気式床暖房パネルＡにおいて、木質基材５０Ａは、図２に示すように、周囲に雄実５１と雌実５２が形成された長尺状の単位ピース５０が長辺方向に位置をずらしながら雁木状に組み付けられて、１つの木質基材５０Ａとされている。すなわち、図１に示すように、木質基材５０Ａは、長辺側は直線状であり、短辺側は雁木状とされた長尺状である。図示しないが、短辺側も直線状である全体が長方形であってもよい。各単位ピース５０には合板もしくは表層に極薄のＭＤＦが練り合わされた合板からなる複合基材が用いられ、各単位ピース５０の表面には突板または化粧シート等の表面化粧材（不図示）が好ましくは積層される。各単位ピース５０の裏面には配線溝５３が形成される。配線溝５３は、図４に示すように、主に、木質基材５０Ａの長辺方向に沿う直線部５３ａと、そこに続く木質基材５０Ａの長辺方向の端部近傍におけるＵターン部５３ｂ（その一部が図４で○で囲んで示される）とで構成される。場所によっては蛇行部となっている箇所もある。図示のものにおいて、配線溝５３は、各単位ピース当たり３本となるように連続して形成されている。また、隣接する単位ピース５０、５０の接合部でも配線溝５３同士は連続している。連続する配線溝５３の中には、コード状ヒータ５４が埋め込まれており、コード状ヒータ５４の端部はコネクターに５５、５６に電気的に接続している。
【００２２】
上記配線溝５３のＵターン部５３ｂ近傍の拡大図の一例が図５に示される。図示のように、Ｕターン部５３ｂ、すなわち曲線部の溝幅Ｗｂは、その全域にわたって、配線溝５３の直線部５３ａの溝幅Ｗａよりも広い。この例において、配線溝５３の直線部５３ａの溝幅Ｗａは、配線するコード状ヒータ５４の直径ｄにほぼ等しく、従って、Ｕターン部（曲線部）５３ｂの溝幅Ｗｂは全域にわたってコード状ヒータ５４の直径ｄよりも大きい。配線溝５３の直線部５３ａの溝幅Ｗａを、配線するコード状ヒータ５４の直径ｄの１．１〜１．３程度に広くすることにより、コード状ヒータ５４の摩耗等による損耗を回避できるが、その場合でも、Ｕターン部５３ｂの溝幅Ｗｂは全域にわたって直線部５３ａの溝幅Ｗａよりも広く設定される。図示されないが、配線溝５３の深さは、直線部５３ａおよびＵターン部５３ｂにおいてすべて等しく、コード状ヒータ５４の直径ｄとほぼ同じである。
【００２３】
そして、図５に示す例において、前記Ｕターン部５３ｂの内側壁面５７の平面視での形状は半円加工面であり、外側壁面５８の平面視での形状は、コード状ヒータ５４を配線溝５３の隣接する２本の直線部５３ａ、５３ａに連続して配線しようとするときに生じる、すなわち自然に形成されるコード状ヒータ５４のＵターン状の曲がり部５４ａの形状に一致あるいはほぼ一致する形状とされている。図示の例では、外側壁面５８の平面視での形状は、ほぼ半円状の加工面とされているが、半円状の加工面は１つの例であって、外側壁面５８の平面視での形状は、配線しようとするコード状ヒータ５４の種類や配線溝５３の隣接する２本の直線部５３ａ、５３ａ間の距離等によって、相違してくる。
【００２４】
電気式床暖房パネルＡを製造するに際して、木質基材５０Ａの裏面に形成した配線溝５３内にコード状ヒータ５４が埋め込まれる。配線溝５３の直線部５３ａにおいては、上から単に押し込むようにする。Ｕターン部５３ｂではその外側壁面５８に接するようにしてコード状ヒータ５４を配線する。前記のように、Ｕターン部（曲線部）５３ｂの外側壁面５８の平面視での形状は、コード状ヒータ５４を配線溝５３の隣接する２本の直線部５３ａ、５３ａに連続して配線しようとするときに、コード状ヒータ５４のＵターン状の曲がり部５４ａの形状に一致あるいはほぼ一致する形状とされており、かつコード状ヒータ５４はＵターン部（曲線部）５３ｂの外側壁面５８に沿うようにして配線されるので、配線された状態において、コード状ヒータ５４のＵターン状の曲がり部５４ａには、埋め込みに伴う大きな内部応力が形成されることはない。そのために、配線後に、コード状ヒータ５４のＵターン状の曲がり部５４ａが浮き上がることや戻りが生じることを確実に回避することができる。結果として、コード状ヒータ５４の配線作業を迅速かつ適正に行うことが可能となる。
【００２５】
また、前記のように、Ｕターン部５３ｂの溝幅ｗｂは、直線部５３ａの溝幅ｗａよりも広く、すなわちコード状ヒータ５４の直径ｄよりも広くされており、上記のようにしてコード状ヒータ５４をＵターン部５３ｂに配線することにより、Ｕターン部５３ｂの内側壁面５７とコード状ヒータ５４の間には、大きな隙間Ｓが形成される。それにより、木質基材５０Ａの反りに起因してコード状ヒータ５４に引っ張り応力が生じるのを効果的に回避することができる。
【００２６】
さらに、図示の例において、各単位ピース５０の裏面には、配線溝５３の主に直線部５３ａに交差するようにして単位ピース５０の短辺に平行な多数の遮音溝５９が形成されている。限定されるものではないが、この例において、遮音溝５９の溝幅はほぼ２ｍｍ、各遮音溝５９間のピッチはほぼ１５ｍｍ程度である。この遮音溝５９を備えることにより、電気式床暖房パネルＡを敷き詰めた床暖房構造は高い遮音機能を備えることができる。なお、この遮音溝５９は省略することもできる。
【００２７】
また、木質基材５０Ａの裏面には、コネクター５５、５６の収容部を除いて、全面に緩衝材６０が貼り付けられている。この例において、緩衝材６０は、図２、図３に示すように、クッション材として不織布層６１と断熱材として機能する軟質樹脂発泡体層６２との２層構成であり、軟質樹脂発泡体層６２が外側となるようにして木質基材５０Ａの裏面側に面して貼り付けられている。それにより、電気式床暖房パネルＡを敷き詰めた床暖房構造は高い遮音機能を備えることことに加えて、高い歩行感と高い断熱性も得られる。
【図面の簡単な説明】
【００２８】
【図１】本発明による電気式床暖房パネルの一例を示す平面図。
【図２】図１のＩ−Ｉ線による断面図。
【図３】図１のＩＩ−ＩＩ線による断面図。
【図４】図１に示す電気式床暖房パネルから緩衝材を外した状態での底面図。
【図５】本発明による電気式床暖房パネルにおける配線溝のＵターン部近傍を拡大して示す図。
【図６】従来の電気式床暖房パネルにおける配線溝のＵターン部近傍を拡大して示す図。
【符号の説明】
【００２９】
Ａ…本発明による電気式床暖房パネル、
５０Ａ…木質基材、
５０…単位ピース、
５１…雄実、
５２…雌実、
５３…配線溝、
５３ａ…配線溝の直線部、
５３ｂ…配線溝のＵターン部、
５４…コード状ヒータ、
５４ａ…コード状ヒータのＵターン状の曲がり部、
５７…Ｕターン部の内側壁面、
５８…Ｕターン部の外側壁面、
５９…遮音溝、
６０…緩衝材、
６１…不織布層、
６２…樹脂発泡体層
【図１】
2010127529.tif 000003
【図２】
2010127529.tif 000004
【図３】
2010127529.tif 000005
【図４】
2010127529.tif 000006
【図５】
2010127529.tif 000007
【図６】
2010127529.tif 000008